(57)【要約】【課題】簡単な構成により使い勝手を向上させることができる電気掃除機を提供することを課題とする。【解決手段】集塵部及び電動送風機を有する本体部１と、吸込口１１を有し、前記本体部１を着脱可能に形成された支柱部２とを備えた電気掃除機において、前記本体部１及び支柱部２に電動送風機を駆動させるスイッチ５，１７を設け、本体部１を支柱部２に装着した時には本体部１及び支柱部２のスイッチ５、１７により電動送風機を駆動可能に構成すると共に、本体部１を支柱部２から離した時には本体部１のスイッチ４により電動送風機を駆動可能に構成する。【選択図】         図１
2005080975.tif 000002
【特許請求の範囲】
【請求項１】
集塵部及び電動送風機を有する本体部と、吸込口を有し、前記本体部を着脱可能に形成された支柱部とを備えた電気掃除機において、前記本体部及び支柱部に電動送風機を駆動させるスイッチを設け、本体部を支柱部に装着した時には本体部及び支柱部のスイッチにより電動送風機を駆動可能に構成すると共に、本体部を支柱部から離した時には本体部のスイッチにより電動送風機を駆動可能に構成したことを特徴とする電気掃除機。
【請求項２】
前記支柱部に設けられたスイッチは、支柱部のグリップ近傍に配設されていることを特徴とする請求項１記載の電気掃除機。
【請求項３】
前記本体部を支柱部に装着した時、本体部と支柱部との接続部に配設された接点を介して支柱部のスイッチからの信号は有線で本体部に伝達されることを特徴とする請求項１記載の電気掃除機。
【請求項４】
前記支柱部のスイッチからの信号は、無線で本体部に送信されることを特徴とする請求項１記載の電気掃除機。
【請求項５】
前記本体部が支柱部に装着されていることを検出する検出手段を設け、検出手段が支柱部に本体部が装着されていることを検出した時、支柱部のスイッチからの信号を本体部で受け付けるようにしたことを特徴とする請求項１または請求項２記載の電気掃除機。
【請求項６】
前記本体部が支柱部近傍に位置していることを検出する検出手段を設け、検出手段が支柱部近傍に本体部が位置していることを検出した時、支柱部のスイッチからの信号を本体部で受け付けるようにしたことを特徴とする請求項１または請求項２記載の電気掃除機。
【請求項７】
前記検出手段は、支柱部に装着されたマグネットと、本体部に装着されたリードスイッチとから構成されていることを特徴とする請求項５記載の電気掃除機。
【請求項８】
前記検出手段は、支柱部に装着されたＩＣタグと、本体部に装着されたＩＣタグリーダとから構成されていることを特徴とする請求項５または請求項６記載の電気掃除機。
【請求項９】
前記本体部が支柱部に装着された時、あるいは、支柱部近傍に本体部が位置している時、本体部の吸込口が支柱部に接続されていないことを検知した際には、支柱部のスイッチからの信号を本体部で受け付けないようにしたことを特徴とする請求項１乃至請求項８の何れか１項に記載の電気掃除機。
【発明の詳細な説明】
【技術分野】
【０００１】
本発明は、電気掃除機に関し、特に、本体部と支柱部とを着脱自在に分離することができる電気掃除機に関する。
【背景技術】
【０００２】
従来、本体部を支柱部から着脱自在に分離することができる電気掃除機は、本体部を支柱部に装着した場合には、支柱部の吸込口から塵埃を吸込むアプライト型の電気掃除機として使用され、本体部を支柱部から取り外して本体部単独にした場合は、本体部の吸込口から塵埃を吸込むハンディ型の電気掃除機として使用されるものが知られている。（例えば、特許文献１参照）
【特許文献１】特開平１１−９５１０号公報
【発明の開示】
【発明が解決しようとする課題】
【０００３】
電気掃除機を駆動させるスイッチの位置に関しては、特許文献１の明細書中には明記されていない。もし、スイッチを支柱部に設けた場合は、ハンディ型として本体部単独で使用する際に、本体部使用者の意思に反して本体部から離れた位置にある支柱部から、使用者以外の人が誤った操作をしてしまう虞があるため、不具合の発生防止を考慮してスイッチは本体部に設けられていると考えられる。
【０００４】
しかしながら、本体部にスイッチを設けると、アップライト型として使用する場合、支柱部のグリップから一旦手を離して本体部のスイッチを操作しなければならず、操作性が低下してしまう虞がある。
【０００５】
本発明は、このような課題を解決するためになされたものであり、簡単な構成により使い勝手を向上させることができる電気掃除機を提供することを課題とする。
【課題を解決するための手段】
【０００６】
上記課題を解決するための手段は、集塵部及び電動送風機を有する本体部と、吸込口を有し、前記本体部を着脱可能に形成された支柱部とを備えた電気掃除機において、前記本体部及び支柱部に電動送風機を駆動させるスイッチを設け、本体部を支柱部に装着した時には本体部及び支柱部のスイッチにより電動送風機を駆動可能に構成すると共に、本体部を支柱部から離した時には本体部のスイッチにより電動送風機を駆動可能に構成したことを特徴とする。
【０００７】
上記課題を解決するための手段において、前記支柱部に設けられたスイッチは、支柱部のグリップ近傍に配設されていることが好ましい。
【０００８】
上記課題を解決するための手段において、前記本体部を支柱部に装着した時、本体部と支柱部との接続部に配設された接点を介して支柱部のスイッチからの信号を有線で本体部に伝達してもよい。
【０００９】
上記課題を解決するための手段において、前記支柱部のスイッチからの信号を無線で本体部に送信してもよい。
【００１０】
また、前記本体部が支柱部に装着されていることを検出する検出手段を設け、検出手段が支柱部に本体部が装着されていることを検出した時、支柱部のスイッチからの信号を本
体部で受け付けるようにしてもよい。
【００１１】
また、前記本体部が支柱部近傍に位置していることを検出する検出手段を設け、検出手段が支柱部近傍に本体部が位置していることを検出した時、支柱部のスイッチからの信号を本体部で受け付けるようにしてもよい。
【００１２】
また、前記検出手段は、支柱部に装着されたマグネットと、本体部に装着されたリードスイッチとから構成してもよい。
【００１３】
また、前記検出手段は、支柱部に装着されたＩＣタグと、本体部に装着されたＩＣタグリーダとから構成してもよい。
【００１４】
また、前記本体部が支柱部に装着された時、あるいは、支柱部近傍に本体部が位置している時、本体部の吸込口が支柱部に接続されていないことを検知した際には、支柱部のスイッチからの信号を本体部で受け付けないようにしてもよい。
【発明の効果】
【００１５】
本発明の請求項１の構成によれば、必要に応じて支柱部側と本体部側とのスイッチを選択して操作することができるため、使い勝手を向上させることができる等の効果を奏する。
【００１６】
本発明の請求項２の構成によれば、支柱部のスイッチを操作した時の操作性を向上させることができる等の効果を奏する。
【００１７】
本発明の請求項３の構成によれば、本体部が支柱部に装着されていることを検出する検出手段が不要となり、構成を簡素化することができると共に、使い勝手を向上させることができる等の効果を奏する。
【００１８】
本発明の請求項４の構成によれば、送信側と受信側間を電気的に接続する必要がなく、構成を簡素化することができる等の効果を奏する。
【００１９】
本発明の請求項５の構成によれば、本体部が支柱部に装着されていることを検出することができるため、支柱部のスイッチが操作された際の不具合発生を防止することができる等の効果を奏する。
【００２０】
本発明の請求項６の構成によれば、本体部が支柱部近傍に位置していることを検出することができるため、支柱部のスイッチが操作された際の不具合発生を防止することができる等の効果を奏する。
【００２１】
本発明の請求項７の構成によれば、本体部が支柱部に装着されていることを簡単な構成により検出することができる等の効果を奏する。
【００２２】
本発明の請求項８の構成によれば、本体部が支柱部近傍に位置していることを簡単な構成により検出することができる等の効果を奏する。
【００２３】
本発明の請求項９の構成によれば、本体部の第１吸込口が支柱部から外れてしまった際の不具合発生を防止することができる等の効果を奏する。
【発明を実施するための最良の形態】
【００２４】
（第１実施形態）
本発明に係る電気掃除機の第１実施形態を図１乃至図４に基づいて説明する。
【００２５】
第１実施形態の電気掃除機は、図示しない集塵部及び電動送風機を備えた本体部１と、本体部１が着脱自在に装着される支柱部２とから構成されている（図１、図２参照）。
【００２６】
本体部１裏面の前後方向（図１の上下方向）の両端部には、支柱部２に装着するための装着部３が形成されている。本体部１の一側面には、支柱部２から取り外した本体部１を持ち運びする際に使用する取っ手４が形成されている。取っ手４の近傍には、図示しない電動送風機を操作する本体部側スイッチ５が配設されている。図示しない集塵部にホース６を介して連通する第１吸込口７は、支柱部２に形成された開口部８に着脱自在に連通するようになっている。本体部１が支柱部２に装着された際、支柱部２に臨む位置の本体部１には、支柱部２からの無線信号を受信する受信部９が設けられている。本体部１内には、本体部側スイッチ５の操作及び受信部９が受信した信号に基づいて、図示しない電動送風機を駆動制御する図示しない制御基板が内装されている。本体部１には電源コード１０が接続されており、本体部側スイッチ５の操作により本体部１単独で使用できるようになっている（図３参照）。
【００２７】
支柱部２は、第２吸込口１１を有するベース部１２と、ベース部１２と回動部１３を介して回動自在に連結された操作部１４とから構成されている。ベース部１２には、本体部１の装着部３が係合する被装着部１５が形成されている。本体部１の第１吸込口７が、ベース部１２の開口部８に装着されることにより、第２吸込口１１と図示しない集塵部とは、第１吸込口７及びホース６を介して連通する。
【００２８】
回動部１３を介してベース部１２と回動自在に連結された操作部１４の、回動部１３に対向する端部には、使用者が操作する際に握るグリップ１６が形成されている。グリップ１６の近傍には、本体部１の図示しない電動送風機を遠隔操作するための支柱部側スイッチ１７が配設されている。操作部１４には、支柱部側スイッチ１７からの信号を受信部９に無線で発信する発信部１８が配設されている。電気掃除機を収納する時、操作部１４をベース部１２と略平行状態になるように折りたたむ際に操作するフック１９が回動部１３近傍の操作部１４に配設されている。
【００２９】
このように構成された電気掃除機は、本体部１の装着部３を支柱部２の被装着部１５に係合させると共に、本体部１の第１吸込口７を支柱部２の開口部８に装着することにより、アップライト型の電気掃除機として使用することができる（図１参照）。そして、使用者は支柱部２のグリップ１６を握って支柱部側スイッチ１７を操作すると、電動送風機の駆動により支柱部２の第２吸込口１１から吸込まれた塵埃は、第１吸込口７及びホース６を介して本体部１の図示しない集塵部で捕集される。
【００３０】
階段等の段差がある所や高い所を掃除する場合には、本体部１の取っ手４を持って本体部１を支柱部２から外して、両手で本体部１及び支柱部２を持って操作することにより、第２吸込口１１を有する支柱部２を軽くして容易に持ち上げることができるため、階段等の段差がある所や高い所でも容易に掃除することができる（図２参照）。
【００３１】
たんすの隙間等の狭い所を掃除する場合には、本体部１の取っ手４を持って本体部１を支柱部２から取り外すと共に、第１吸込口７を支柱部２の開口部８から取り外し、第１吸込口７に隙間用吸込具２０を装着して本体部１単独で使用する（図３参照）。
【００３２】
図１のようにアップライト型の電気掃除機として使用する場合や、図２のように両手に本体部１及び支柱部２を持って使用する場合に、第２吸込口１１をベッドの下に置いてベッドの下の奥深い所を掃除する時、ホース６がベッドの角に触れて第１吸込口７が開口部
８から外れてしまい、第１吸込口７が開口部８から外れている状態になっていることに気が付くまでの間に、第１吸込口７から大切な物を本体部１内に吸込んでしまう虞があった。第１実施形態においては、第１吸込口７が開口部８に装着されていることを検知する検知手段を設けることにより、上述したような不都合の発生を防止することができるようになっている。
【００３３】
図示していない電動送風機を駆動させるスイッチは、使用性を向上させるために本体部１と支柱部２とに夫々配設している。しかしながら、上述したような使用形態に関係なく本体部１と支柱部２とに夫々配設したスイッチの操作信号に基づいて無条件で電動送風機を駆動させる構成にすると以下のような問題が生じる虞がある。
【００３４】
例えば、図３のように本体部１単独で使用している際に、本体部使用者の意思に反して本体部１から離れた位置にある支柱部側スイッチ１７により、使用者以外の人が誤った操作をしてしまった場合、弱運転から強運転に切換わり、掃除をしている所の近傍にある大切なものを本体部１内に吸込んでしまったり、意思に反した動作に驚いた使用者が慌てた行動を起こして備品を破損させてしまう等の問題が生じる虞がある。
【００３５】
そこで、第１実施形態では、図４または図５に示すように、本体部１が支柱部２に装着されているか否かを検出する検出手段を設けている。支柱部２の被装着部１５内面には、マグネット２１が装着されている。マグネット２１に対向する本体部１の装着部３内面には、マグネット２１の磁力により作動するリードスイッチ２２が装着されている。リードスイッチ２２がマグネット２１に近接している時はリードスイッチ２２がＯＮとなり、リードスイッチ２２がマグネット２１から離れた時はリードスイッチ２２がＯＦＦとなる。従って、リードスイッチ２２のＯＮ・ＯＦＦ信号を検出することにより本体部１と支柱部２との位置関係を推測することができる。
【００３６】
リードスイッチ２２がＯＮになっている時は、図１に示すように本体部１が支柱部２に装着されている状態であるので、支柱部側スイッチ１７により本体部１の図示しない電動送風機を駆動させても上述したような問題は生じない。従って、グリップ１６を握り支柱部側スイッチ１７を操作するだけで、発信部１８及び受信部９を介して本体部１に伝達された操作信号を本体部１が受け付けて電動送風機が駆動するため、操作性を向上させたアップライト型の電気掃除機として使用することができる。また、支柱部側スイッチ１７はグリップ１６の近傍に位置しているため操作性が向上する。さらに、支柱部側スイッチ１７からの信号は、無線で本体部１に送信することができるため、支柱部２と本体部１とを電気的に接続する必要がなく、構成を簡素化することができる。この時は、支柱部側スイッチ１７からだけではなく、本体部側スイッチ５の操作によっても使用できるようになっている。
【００３７】
リードスイッチ２２がＯＦＦになっている時は、図２及び図３に示すように本体部１が支柱部２に装着されていない状態であるので、支柱部側スイッチ１７により本体部１の図示しない電動送風機を駆動させた場合、使用者の意思に反して動作する電気掃除機により、掃除をしている所の近傍にある大切なものを本体部１内に吸込んでしまったり、意思に反した動作に驚いた使用者が慌てた行動を起こして備品を破損させてしまう等の問題が生じる虞がある。従って、本体部１が支柱部２に装着されていない時には、支柱部側スイッチ１７が操作されてもその信号を本体部１が受け付けない構成にしている。この結果、上述した問題を解決することができる。また、この時は、本体部側スイッチ５により電動送風機を駆動させることができる。
【００３８】
このようにして、必要の応じて本体部側スイッチ５あるいは支柱部側スイッチ１７で電気掃除機を操作することができるため使い勝手が向上する。
【００３９】
（第２実施形態）
図６または図７は、本発明に係る電気掃除機の第２実施形態を示している。尚、第１実施形態と同一部品については、同一符号を付して説明を省略する。本体部１が支柱部２から外されていても本体部１が支柱部２の近傍に位置していれば、仮に支柱部側スイッチ１７が操作された場合でもその状況を認識することができるため、本体部１が支柱部２から外されていても本体部１が支柱部２の近傍に位置している場合には、第１実施形態と同様な電動送風機の制御を行っても問題は生じない
第２実施形態では、本体部１が支柱部２に装着されている状態、あるいは、本体部１が支柱部２と離れているが本体部１が支柱部２の近傍に位置している状態を検出する検出手段として、支柱部２の被装着部１５内面にＩＣタグ２３、ＩＣタグ２３に対向する本体部１の装着部３内面にＩＣタグ２３の情報を読み取るＩＣタグリーダ２４を装着している。
【００４０】
ＩＣタグ２３がＩＣタグリーダ２４に近接している時はＩＣタグリーダ２４がＩＣタグ２３の情報を読み取ることができ、ＩＣタグ２３がＩＣタグリーダ２４から離れた時はＩＣタグリーダ２４がＩＣタグ２３の情報を読み取ることはできない。従って、ＩＣタグリーダ２４がＩＣタグ２３の情報を読み取ることができるか否かにより本体部１と支柱部２との位置関係を推測することができる。
【００４１】
尚、ＩＣタグリーダ２４は電波の届く範囲であれば、どのような向きであってもＩＣタグ２３の情報を読み取ることができるため、本体部１が支柱部２の近傍に位置している時、ＩＣタグリーダ２４がＩＣタグ２３の情報を読み取れるようにＩＣタグ２３及びＩＣタグリーダ２４を設定することにより、本体部１が支柱部２の近傍に位置していることを推測することができる。
【００４２】
ＩＣタグリーダ２４がＩＣタグ２３の情報を読み取ることができる時は、図１に示すように本体部１が支柱部２に装着されている状態か、あるいは、本体部１が支柱部２と離れているが本体部１が支柱部２の近傍に位置している状態であるので、支柱部側スイッチ１７により本体部１の図示しない電動送風機を駆動させても第１実施形態で述べたように問題は生じない。従って、グリップ１６を握り支柱部側スイッチ１７を操作するだけでアップライト型の電気掃除機として使用することができるため操作性を向上させることができる。また、この時は、第１実施形態と同様に本体部側スイッチ５の操作によっても使用できるようになっている。
【００４３】
ＩＣタグリーダ２４がＩＣタグ２３の情報を読み取ることができない時は、図２及び図３に示すように本体部１が支柱部２に装着されておらず、且つ、本体部１が支柱部２から十分離れている状態であるので、支柱部側スイッチ１７により本体部１の図示しない電動送風機を駆動させた場合、使用者の意思に反して動作する電気掃除機により、掃除をしている所の近傍にある大切なものを本体部１内に吸込んでしまったり、意思に反した動作に驚いた使用者が慌てた行動を起こして備品を破損させてしまう等の問題が生じる虞がある。従って、本体部１が支柱部２に装着されておらず、且つ、本体部１が支柱部２から十分離れている状態の時には、支柱部側スイッチ１７が操作されてもその信号を本体部１が受け付けない構成にすることにより上述した問題を解決することができる。この時は、本体部側スイッチ５により電動送風機を駆動させることができる。
【００４４】
（第３実施形態）
図８または図９は、本発明に係る電気掃除機の第３実施形態を示している。尚、第１実施形態または第２実施形態と同一部品については、同一符号を付して説明を省略する。
【００４５】
第１実施形態または第２実施形態では、本体部１が支柱部２に装着されていることをセ
ンサにより検出して、支柱部側スイッチ１７の信号を本体部１で受け付けるように構成したが、第３実施形態では、本体部１が支柱部２に装着されていることを検出するセンサをなくし、本体部１が支柱部２に装着された際に、支柱部側スイッチ１７と本体部１とが電気的に接続される構成にしている。
【００４６】
支柱部２の被装着部１５には、支柱部側給電線２５を介して支柱部側スイッチ１７と電気的に接続された接点２６ａが配設されている。接点２６ａの先端部２７は、本体部１の装着部３側に向けて突出している。本体部１の装着部３には、本体部側給電線２８を介して本体部１の図示しない電動送風機と電気的に接続された接点２６ｂが配設されている。接点２６ｂは、バネ２９により支柱部２の被装着部１５側に付勢されている。本体部１の装着部３には、接点２６ａより大径の孔３０が形成されており、孔３０を介して接点２６ａと接点２６ｂとが接触可能になっている。
【００４７】
本体部１を支柱部２装着した時は、支柱部２の被装着部１５に配設された接点２６ａの先端部２７と、本体部１の装着部３に配設された接点２６ｂとは当接する。この結果、支柱部側スイッチ１７と本体部１の図示しない電動送風機とは電気的に接続される。本体部１を支柱部２装着した状態では支柱部側スイッチ１７により本体部１の図示しない電動送風機を駆動させても問題は生じない。従って、グリップ１６を握り支柱部側スイッチ１７を操作するだけでアップライト型の電気掃除機として使用することができ、操作性を向上させることができる。
【００４８】
本体部１を支柱部２から取り外した時には、接点２６ａの先端部２７と接点２６ｂとは接触しないため、支柱部側スイッチ１７と本体部１の図示しない電動送風機との電気的な接続は遮断される。この結果、支柱部側スイッチ１７を操作しても電動送風機は駆動しない。従って、使用者の意思に反して動作する電気掃除機により、掃除をしている所の近傍にある大切なものを本体部１内に吸込んでしまったり、意思に反した動作に驚いた使用者が慌てた行動を起こして備品を破損させてしまう等の問題が生じる虞はない。電動送風機を駆動させる時には、本体部側スイッチ５を操作すればよい。
【００４９】
（第４実施形態）
図１０乃至図１７は、本発明に係る電気掃除機の第４実施形態を示している。尚、第１実施形態乃至第３実施形態と同一部品については、同一符号を付して説明を省略する。第４実施形態は、第１実施形態乃至第３実施形態において、階段等の段差がある所、あるいは、高い所を掃除する場合の別の形態を示している。
【００５０】
第４実施形態では、支柱部２のベース部１２内に第２吸込口１１に連通する第１流路３１を形成すると共に、支柱部２の操作部１４内に第１流路３１に連通可能な第２流路３２を形成している。支柱部２のベース部１２と操作部１４とは回動部１３により回動自在になっており、操作部１４を回動させてベース部１２側に折り曲げた時には、第１流路３１と第２流路３２とは連通しない（図１１参照）。操作部１４をベース部１２と略一直線状態に伸ばした時には、第１流路３１と第２流路３２とは連通する（図１０、図１２参照）。グリップ１６近傍には、第２流路３２が外気に連通する差込口３３が形成されている（図１０参照）。差込口３３には、本体部１の第１吸込口７が着脱自在に装着できるようになっている。
【００５１】
第１流路３１の、第２流路３２との接続部には、ゴムまたは樹脂からなる弾性及び耐磨耗性に優れたジョイント部材３４が固定されている。第１流路３１と第２流路３２とが連通していない状態、即ち、操作部１４をベース部１２側に折り曲げた状態（図１１参照）から、第１流路３１と第２流路３２とが連通する状態、即ち、操作部１４をベース部１２と略一直線状態に伸ばした状態（図１２参照）にすると、第１流路３１と第２流路３２と
の接合部はジョイント部材３４により覆われるため、第１流路３１と第２流路３２との気密性が保たれる。
【００５２】
このように構成された第４実施形態の電気掃除機は、階段等の段差がある所、あるいは、高い所を掃除する時には本体部１と支柱部２とを両手で持って操作する。本体部１の第１吸込口７が差し込まれる差込口３３がグリップ１６近傍にあるため、第２吸込口１１をベッドの下に置いてベッドの下の奥深い所を掃除する場合でも、ホース６がベッド下の角で擦れて傷付いたり破損することが防止できると共に、第１吸込口７が支柱部２から外れてしまうことを防止することができる。また、体を屈めたりしなくてもホース６の着脱ができるため、操作性が向上する。さらに、第２流路３２が形成された支柱部２は回動部１３により折り畳めるようにしているため、使用していない時にはコンパクトになり収納性が向上する。
【００５３】
図１３は第４実施形態の変形例を示しており、第２流路３２の上方側面に差込口３３ａを形成すると共に、第１吸込口７を差込口３３ａに着脱自在に装着できるようにしている。このような構成にしても、第２吸込口１１をベッドの下に置いてベッドの下の奥深い所を掃除する場合でも、ホース６がベッド下の角で擦れて傷付いたり破損することが防止できると共に、第１吸込口７が支柱部２から外れてしまうことを防止することができる。
【００５４】
図１５乃至図１９は第１流路３１と第２流路３２との接続部の変形例を示している。第２流路３２を上下スライド自在に構成し、操作部１４を折り曲げる時には第２流路３２を上方にスライドさせて第１流路３１との接触を防止する（図１４参照）と共に、操作部１４を伸ばした時には第２流路３２を下方にスライドさせて第１流路３１に嵌合させる（図１５、図１６参照）。この結果、別部材を使用する必要がなく構成を簡素化することができる。
【００５５】
第１流路３１と第２流路３２とが連通していない状態、即ち、操作部１４をベース部１２側に折り曲げた状態で長期間放置すると、第１流路３１及び第２流路３２内に埃が堆積する虞がある。第４実施形態では、操作部１４をベース部１２側に折り曲げることによって上方に開口した第１流路３１及び第２流路３２を付属部品であるカバー３５で覆うことにより、第１流路３１及び第２流路３２内に埃が堆積することを防止している（図１７参照）。
【００５６】
（第５実施形態）
図１８乃至図２１は、本発明に係る電気掃除機の第５実施形態を示している。尚、第１実施形態乃至第４実施形態と同一部品については、同一符号を付して説明を省略する。第５実施形態は、第４実施形態の階段等の段差がある所や高い所を掃除する場合の別の形態に対して更なる別の形態を示している。
【００５７】
第５実施形態の電気掃除機は、第２吸込口１１から吸込んだ空気を第１吸込口７を介して本体部１に供給し、本体部１の図示しないに集塵部で除塵した排気の一部を本体部１から排気すると共に、残りの排気を第２吸込口１１まで循環させる構成になっている。従って、空気流路は吸気用と循環排気用との２種類の流路が形成されている。支柱部２のベース部１２内は内側パイプ３６と外側パイプ３７とからなる二重構造になっており、内側パイプ３６の内側が吸気流路３８で内側パイプ３６と外側パイプ３７との間の空間が循環排気流路３９となっている。ベース部１２の循環排気流路３９と本体部１の図示しない循環排気流路とは循環排気口４０を介して連通している（図１８参照）。また、内側パイプ３６はベース部１２から着脱可能な構成になっている。
【００５８】
このように構成された第５実施形態の電気掃除機を、階段等の段差がある所や高い所を
掃除する場合には、本体部１を支柱部２から取り外すと共に、内側パイプ３６をベース部１２から取り出す（図１９参照）。ベース部１２から取り出した内側パイプ３６の一端にジョイント具４１を装着すると共に、内側パイプ３６の他端に隙間用吸込具２０を装着する（図２０参照）。そして、ジョイント具４１を外側パイプ３７に接続する（図２１参照）と共に、循環排気口４０を図示しない閉塞手段により閉塞する。
【００５９】
こうすることにより、グリップ１６から隙間用吸込具２０までの距離をより長くすることができるため、グリップ１６を握ってより奥行きのある狭い所や高いところまで掃除することができ、使い勝手が向上する。この時、排気循環の機能は失われるが、吸込み性能には問題なく、また、機能上問題なく使用することができる。尚、内側パイプ３６に隙間用吸込具２０を装着したが、その他の吸込具を装着してもよい。
【００６０】
（第６実施形態）
図２２乃至図２６は、本発明に係る電気掃除機の第６実施形態を示している。尚、第１実施形態乃至第５実施形態と同一部品については、同一符号を付して説明を省略する。第６実施形態は、サイクロン式電気掃除機の集塵部４２の形態を示している。
【００６１】
本体部１内に吸引された塵埃を含んだ排気は、吸引口４３を介してサイクロン式の集塵部４２内に吸引される。集塵部４２内に吸引された排気は、外側サイクロン流路４４を旋回する間に大きなごみは分離され、分離された大きなごみが集塵部４２の底部に堆積すると共に、大きなごみが分離された排気は内側サイクロン流路４５内に吸引される。内側サイクロン流路４５内に吸引された排気は、内側サイクロン流路４５を旋回する間に小さなごみは分離され、分離された小さなごみが集塵部４２の底部に堆積すると共に、小さなごみが分離された排気は、内側サイクロン流路４５の中心に位置する円筒部４６に装着されたフィルター４７を通過する際に微細なごみは除去されて外部に排気される。
【００６２】
集塵部４２をメンテナンスする時には、集塵部４２の蓋体４８を取り外して集塵部４２底部に堆積しているごみを捨てると共に、フィルター４７に付着しているごみを取り除く。従来のフィルターはサイクロン流路の中心に位置する円筒部にインサート成型されていた。この結果、フィルタを容易に取り出すことはできず、従来のフィルターの掃除は困難なものであった。
【００６３】
これに対して、第６実施形態のフィルター４７は、集塵部４２の円筒部４６から着脱自在に装着できる構成しているためメンテナンスを容易にしている。内側サイクロン流路４５の中心に位置する円筒部４６には、複数の穴４９が形成されている。フィルター４７は、矩形の柔らかい枠体５０に除塵用のメッシュ部５１をインサート成型し、枠体５０の長辺側の相反する面の両端にマジックテープ等の係止手段５２を備えている。そして、円筒部４６に形成された複数の穴４９の外周にフィルター４７を巻きつけて係止手段５２により固定することによりフィルター４７は容易に装着することができる。また、フィルター４７を取り外す時は、係止手段５２を取り外すことにより、容易にフィルター４７を集塵部４２から取り出して水洗い等を行うことができるため、メンテナンスが容易になる。
【図面の簡単な説明】
【００６４】
【図１】本発明を実施するための最良の第１実施形態の電気掃除機の側面図で、本体部を支柱部に装着した状態を示す。
【図２】同電気掃除機の側面図で、本体部を支柱部から取り外した状態を示す。
【図３】同電気掃除機の側面図で、本体部を支柱部から取り外して本体部単独で使用する状態を示す。
【図４】同電気掃除機の側面図で、本体部が支柱部に装着されていることを検出する検出手段を部分断面図で示す。
【図５】図４の検出手段の拡大図である。
【図６】本発明を実施するための最良の第２実施形態の電気掃除機の側面図で、本体部が支柱部に装着されているか、または、本体部が支柱部に装着されていないが本体部が支柱部近傍に位置していることを検出する検出手段を部分断面図で示す。
【図７】図６の検出手段の拡大図である。
【図８】本発明を実施するための最良の第３実施形態の電気掃除機の側面図で、本体部を支柱部に装着した状態を部分断面図で示す。
【図９】図８の部分断面図の拡大図である。
【図１０】本発明を実施するための最良の第４実施形態の電気掃除機の側面図である。
【図１１】同電気掃除機の支柱部の側断面図で、操作部を折り曲げた状態を示す。
【図１２】同電気掃除機の支柱部の側断面図で、操作部を伸ばした状態を示す。
【図１３】同電気掃除機の電気掃除機の側面図で、図１０の変形例を示す。
【図１４】同電気掃除機の支柱部の側断面図で、操作部を折り曲げた状態の変形例を示す。
【図１５】図１５の操作部を伸ばした状態にした時の図である。
【図１６】図１６の第２流路を下方に移動させて第１流路と嵌合させた状態を示す図である。
【図１７】同電気掃除機の支柱部の側断面図で、折り曲げた支柱部の回動部近傍をカバーで覆った状態を示す。
【図１８】本発明を実施するための最良の第５実施形態の電気掃除機の側面図で、ベース部を断面で示す。
【図１９】同電気掃除機の支柱部の側断面図で、内側パイプを取り出した状態を示す。
【図２０】同電気掃除機の取り出した内側パイプにジョイント部材と隙間用ノズルを装着する状態を示す図である。
【図２１】同電気掃除機の外側パイプに内側パイプを装着した状態を示す図である。
【図２２】本発明を実施するための最良の第６実施形態の電気掃除機の集塵部の側面図で、蓋体を取り外した状態を示す。
【図２３】図２２のＡ―Ａ断面図である。
【図２４】同電気掃除機の集塵部のフィルターの平面図で、フィルターを伸ばした状態を示す。
【図２５】同電気掃除機の集塵部のフィルターの平面図で、フィルターを取付けた状態を示す。
【図２６】図２５を側面から見た図である。
【符号の説明】
【００６５】
１    本体部
２    支柱部
５    本体部側スイッチ
７    第１吸込口
１１  第２吸込口
１６  グリップ
１７  支柱部側スイッチ
【図１】
2005080975.tif 000003
【図２】
2005080975.tif 000004
【図３】
2005080975.tif 000005
【図４】
2005080975.tif 000006
【図５】
2005080975.tif 000007
【図６】
2005080975.tif 000008
【図７】
2005080975.tif 000009
【図８】
2005080975.tif 000010
【図９】
2005080975.tif 000011
【図１０】
2005080975.tif 000012
【図１１】
2005080975.tif 000013
【図１２】
2005080975.tif 000014
【図１３】
2005080975.tif 000015
【図１４】
2005080975.tif 000016
【図１５】
2005080975.tif 000017
【図１６】
2005080975.tif 000018
【図１７】
2005080975.tif 000019
【図１８】
2005080975.tif 000020
【図１９】
2005080975.tif 000021
【図２０】
2005080975.tif 000022
【図２１】
2005080975.tif 000023
【図２２】
2005080975.tif 000024
【図２３】
2005080975.tif 000025
【図２４】
2005080975.tif 000026
【図２５】
2005080975.tif 000027
【図２６】
2005080975.tif 000028